(57)【要約】【課題】従来のミラー駆動装置の防水防塵機構においてはミラーの傾動時にも密着性を確保しつつ駆動力の伝達ロスが少なく、かつ、製造コストおよび組み立てコストの低減が可能で省スペースな構造のものがなかった。【解決手段】可動出力軸の外径より小さな内径を持つ弾性体部材からなるシール部材を上ケースに設けられたシール部材収納部とシール部材押え板の間で移動可能な状態で保持される構造とすることにより、ミラーの傾きが上限位置・下限位置近くで可動出力軸の軸心位置が変位して軸が傾いてもシール部分の密着性が良好に保たれ、かつ、動力伝達ロスが少ない省スペースな構造の防水防塵機構を低コストで実現できる。【選択図】図２
2006168696.tif 000002
【特許請求の範囲】
【請求項１】
ミラー駆動部とミラープレート支持部およびミラープレート係合部によりミラー駆動部に対して傾動可能に結合されミラープレートと、ミラープレートを傾動させるための可動出力軸とミラー駆動部を収納するケース体からなるミラー駆動装置において、上記ケース体のミラープレートに対向する面の可動出力軸開口部の周囲にシール部材押え板の支持部と係合部が設けられ、ケース体とシール部材押さえ板により形成されるシール部材収納部に可動出力軸の外径より小さな内径を持つ弾性体部材からなるシール部材が収納されており、該シール部材がミラープレート側からシール部材押え板により可動出力軸の軸心位置の変位に追随して移動可能な状態で保持されていることを特徴とするミラー駆動装置。
【請求項２】
上記シール部材押え板と上記シール部材押さえ板の支持部および係合部がケース体に一体に成型されており、可動出力軸開口部の周囲に部分溝形状のシール部材収納部として配置されていることを特徴とする請求項１に記載のミラー駆動機構。
【請求項３】
ミラー駆動装置が車両に取り付けられた際に、シール部材収納部外周の下側となる位置に侵入した水滴を排出するための排出溝を設けたことを特徴とする請求項１および請求項２に記載のミラー駆動装置。
【発明の詳細な説明】
【技術分野】
【０００１】  本発明は、主に車両の電動式サイドミラー等に用いられる防水性および防塵性に優れたミラー駆動装置に関するものである。
【背景技術】
【０００２】  車両の電動式ミラーは運転者が車両内のスイッチ操作によりミラー角度を運転者の所望する角度に微調整可能なように構成されている。これらの電動式ミラーにはミラーケース内にミラー駆動装置がミラーケースに固定収納されている。ミラー駆動装置には外面にミラーを取り付けるミラープレートが球面継ぎ手からなるミラープレート支持部において回動可能に取り付けられている。また、ミラープレートはミラープレート支持部とは別の位置に配置されたミラープレート係合部において進退可能な可動出力軸によりケースに収納されたミラー駆動部と係合されており、この可動出力軸の進退位置を所定の位置に移動させることによりミラー角度を運転者の所望の角度に調整するように構成されている。【０００３】  通常、上記ミラー駆動装置のミラープレート係合部は２箇所設けられ、これら２箇所のミラープレート係合部はミラープレート支持部とミラープレート係合部を結ぶ線が互いに直交する位置に配置されており、２箇所のミラープレート係合部の可動出力軸の進退位置を個別に制御して移動させることにより、係合されたミラーの水平方向及び垂直方向の傾きを運転者の所望する位置に調整するように構成されている。【０００４】  ミラー駆動装置の可動出力軸を進退させる機構は、ミラー駆動装置に取り付けられた小型モーターの回転運動を送りネジ機構により直線運動に変換することにより実現されている。一般的なミラー駆動装置では、運転者のスイッチ操作により駆動が制御されたミラー駆動用モーターの回転運動は、まず、ウォームギヤ等により減速されて可動出力軸方向の軸心を持つ歯車機構に回転運動として伝達される。次に歯車の回転運動は送りネジ機構により可動出力軸の進退運動に変換され、可動出力軸先端の係合部を介してミラープレートを所定範囲内に傾動させるように構成されている。【０００５】  上記のように構成された車両の電動式サイドミラーは車外に取り付けられており、また、ミラーはミラーケース内で傾動可能に設置されているため、ミラーとミラーケース間には間隙が存在する。このため、ミラーケース内に収納されたミラー駆動部には外部から侵入する塵埃からの保護および雨水や洗車時の外部からの水滴の浸入から保護する手段が不可欠となる。このため、ミラー駆動装置内部の可動部分は樹脂性のケース内に密封されて保護される必要がある。【０００６】  上下に分割されたケースの接合部分や入出力口部分などの静的な接合部は嵌合構造やパッキン等のシール手段により実用上問題なくシールされる。しかし、可動部分である可動出力軸の入出力部分には可動出力軸の動きに追随するための特別なシール構造が必要となる。【０００７】  図３に可動出力軸の中心を通るミラー駆動装置要部の断面を示す。図３において可動出力軸下端の動きが送りネジ機構に沿った直線上の運動であるのに対して、ミラープレートと係合された可動出力軸先端はミラー支持部を中心とする円周上に動きが制約されているため、ミラープレートの傾くと可動出力軸の先端部には図１のαに示される変位が生じ、ミラープレートの傾きとともに可動出力軸の軸心にも傾きが生じる。このため、上ケース開口部はミラーの傾動範囲内で上記の軸心変位量を許容する分だ���径を大きくする必要があり、また、シール構造もシール性を保ったまま可動出力軸の軸心変位に追随することが望まれる。【０００８】  このため、可動出力軸の入出力部分には従来から多くのシール構造が提案されてきた。特許文献１に示した実開平５−２６６３７の図１には上ケースの可動出力軸入出部の内壁面に設けられたＯリング収納溝とＯリングからなるシール構造が示されている。しかし、上記構成の防水機構では、封止性能を高めようとした場合は、軸とＯリング間の摩擦力が大きくなり、駆動用モーターへの負荷が大きくなるという不具合に加えて、可動出力軸が傾いた場合は可動出力軸の傾きを打ち消す方向にＯリングの反発力が作用するので、動力伝達ロスが極端に大きくなり、ミラーのスムーズな傾動動作を妨げる構成となっている。【０００９】  また、特許文献２に示された特開平１１−３４７４１には可動出力軸の外側に可動出力軸を包み込むように配置された弾性体からなる蛇腹構造の筒状体が上ケースのフランジ部とミラーケースの連結部に固定されており、可動出力軸が上下に変移してもケース内に水滴が浸入するおそれの無い構造となっている。この構造によれば可動出力軸が傾いても周囲の筒状体に触れることがなく、また、水滴の侵入も効果的に阻止することができるが、一方、蛇腹構造の筒状体の製造コストが高く、加えて蛇腹構造の筒状体をケースとミラーケース間に取り付けるための組み立てコストの増加も無視できず、また、構造が複雑であるので、ミラー駆動装置の小型化には不適当である。【００１０】  さらに、特許文献３にはケース体の可動出力軸入出部に軟質材を異材成型によりケースと一体化した車両用ミラー装置が示されている。上記構成によれば上記の特許文献２のような装置組み立てコストは低減可能であるが、部品製造時には異材成型のための特別な成型装置が必要とされ、また、異なった材質を同時成型するため、成型装置のサイクルタイムが長くなり、調整が難しく自動化が困難である等の問題がある。加えて軟質材の金型が別途必要とされるため、通常の成型加工品に比べて部品が高コストとなってしまう。【００１１】
【特許文献１】実開平５−２６６３７
【特許文献２】特開平１１−３４７４１
【特許文献３】特開２００１−３０８２９
【発明の開示】
【発明が解決しようとする課題】
【００１２】  上記のように従来のミラー駆動装置の防水防塵機構においては、駆動力の伝達ロスが少なく、ミラーの傾動性能を確保しつつ防水防塵が可能であり、一方で、製造コストが低く、省スペースな構造で駆動装置の軽量化ならびに小型化にも対応が可能といったミラー駆動装置の防水防塵機構における諸課題を同時に解決することができなかった。本発明は、ミラー駆動装置の防水防塵機構における上記の諸課題を解決するためになされたものである。
【課題を解決するための手段】
【００１３】  上記課題を解決するために、本発明の請求項１においては、ミラー駆動部とミラープレート支持部およびミラープレート係合部によりミラー駆動部に対して傾動可能に結合されミラープレートと、ミラープレートを傾動させるための可動出力軸とミラー駆動部を収納するケース体からなるミラー駆動装置において、上記ケース体のミラープレートに対向する面の可動出力軸開口部の周囲にシール部材押え板の支持部と係合部が設けられ、ケース体とシール部材押さえ板により形成されるシール部材収納部に可動出力軸の外径より小さな内径を持つ弾性体部材からなるシール部材が収納されており、該シール部材がミラープレート側からシール部材押え板により可動出力軸の軸心位置の変位に追随して移動可能な状態で保持されていることを特徴とするミラー駆動装置が示されている。【００１４】  また、本発明の請求項２では、上記シール部材押え板と上記シール部材押さえ板の支持部および係合部がケース体に一体に成型されており、可動出力軸開口部の周囲に部分溝形状のシール部材収納部として配置されていることを特徴とする請求項１に記載のミラー駆動機構が示されている。【００１５】  さらに請求項３にはミラー駆動装置が車両に取り付けられた際に、シール部材収納部外周の下側となる位置に侵入した水滴を排出するための排出溝を設けたことを特徴とする請求項１および請求項２に記載のミラー駆動装置が示されている。
【発明の効果】
【００１６】  本発明の構成によるミラー駆動装置によれば、シール部材を可動出力軸の先端部から差し込むことにより、シール箇所は図２のように可動出力軸の外周面と外部にめくれあがったシート状の弾性体で構成されているため、Ｏリングを用いたシールに比べて可動出力軸が進退運動をする際の抵抗が少なく、さらに、シール部材がシール部材収納部とシール部材押え板の間で可動出力軸の軸心位置の変位に追随して移動可能な状態で保持されているため、シール部分の密着状態はミラーの傾動とともに軸心位置が変位しても良好に保たれ、かつ、ミラー傾動時の動力伝達ロスを格段に少なくすることができる。【００１７】  また、従来例に見られる蛇腹構造の筒状体による防水防塵構造と比較して部品数が少なく構成が単純であり、異材成型の例に見られるような部品製造のための特別の装置も必要としないので部品コスト及び組み立てコストが低減でき、また、省スペースな構成であるため装置の小型化にも対応しやすい。シール部材押え板は可動出力軸開口部ごとに設けても良く、図１のａ）のように一枚のシール部材押え板で２箇所のシール部材を保持する構成とすることもできる。シール部材押さえ板を一枚とするにより部品コストと組み立てコストを一層低減できるばかりでなくシール性能を一層向上させることができる。さらに、シール部材押さえ板に替えて図４に示されるようなケースと一体化した部分溝としても良い。また、水滴を排出するための排出溝を設けることにより、外部の気象条件や走行時の特殊な条件等により、主にケースとシール部材押え板との間から侵入する水滴をシール面の手前で排出することができる。
【発明を実施するための最良の形態】
【００１８】  上記構成の防水防塵構造を用いたミラー駆動装置を作成してその性能を確認した。
【実施例１】
【００１９】  図１に本発明のミラー駆動装置の可動出力軸部分の防水防塵構造の構成を示す。図１のａ）にはシール部材押さえ板の平面図が示されており、図１のｂ）には本発明によるシール部材の平面図、同じくｃ）には可動出力軸開口部付近の上ケース上面の平面図が示されている。また、図２には図１のｃ）に示した上ケース上面のＸ−Ｙ断面において、可動出力軸とシール部材、シール部材押さえ板が取り付けられた状態の断面図が示されている。【００２０】  上ケース６は樹脂成型体であり、可動出力軸開口部２１、２２の周囲にはシール部材収納部を構成するシール部材収納溝２３、２４が設けられ、その外側にはシール部材押さえ板をケースに保持するための固定面を形成するシール部材押さえ板支持部２８、２９，３０が連続して上ケースに成型されている。また、上ケースにはシール部材押え板の係止部２５、２６、２７が設けられており、さらにケースとケースに係合されたシール部材押え板との間等から外部から侵入する水滴を排出するための排出溝３１、３２が上記シール部材収納部の周囲に設けられたシール部材押さえ板支持部の段差を分断するように設けられている。【００２１】  図１ｂ）に示されるシール部材１０はシリコンゴム製シートを内径がシール部材可動出力部材の外径より小さくなるようドーナツ状に打ちぬいて製造されたプレス部品で、上下面にグリースを塗布してシール部材収納溝２１、２２に収納される。また、図１のａ）に示すシート部材押え板１１は剛性板作られ、可動出力軸が通る開口径はケース体の開口径より大きく作られている。また、シート押さえ板には２箇所の開口部が設けられており、シール部材を収納した後シール部材押さえ板支持部２８、２９、３０とシール部材押さえ板係止部２５、２６、２７により上ケースに保持される。【００２２】  上記構成にてミラー駆動装置を組み立てて動作を確認したところ、ミラーが傾動可能な全可動範囲において、シール部の密着性は良好に保たれ、ミラーの傾きが動作限角度に達して可動出力軸の軸心が変位してもシール部材が軸心の変位に柔軟に追随して移動することが確認された。尚、実施例においてはシール部材としてシリコンゴムシートを打ち抜いたまま使用しても充分な効果を確認できたが、シール部材のシール部となる内径端面部を薄肉とする、あるいは端部をＲ加工する、可動出力軸とのシール部にもグリースを塗布するなどの改善がシール部の密着性向上と駆動力ロスの一層の低減をもたらすことは言うまでもない。
【産業上の利用可能性】
【００２３】  本発明の防水防塵構造を用いることにより、シール部における駆動系の動力ロスが少なく、シール性が良好で、ミラーの傾きが上限位置・下限位置近くでも動力伝達ロスが少ないミラー駆動装置を実現することができるので、耐久性に優れた高性能な車両用電動ミラーを低コストで提供することができる。
【図面の簡単な説明】
【００２４】
【図１】本発明のミラー駆動装置分の防水防塵構造部分を示す平面図
【図２】本発明のミラー駆動装置分の防水防塵構造部分の断面図
【図３】ミラー駆動装置の可動出力軸中心位置における断面図
【図４】可動軸開口部の周囲にケース一体で設けられた部分溝を示す断面図及び平面図
【符号の説明】
【００２５】  １    ミラー駆動装置
２    歯車機構
３    可動出力軸
４    ミラープレート
５    下ケース
６    上ケース
７    ウオーム歯車
８    ミラー駆動用モーター
１０    シール部材
１１    シール部材押え板
１２    ミラープレート係合部
２１、２２    ケースの可動出力軸開口部
２３、２４    シール部材収納溝
２５、２６、２７    シール部材押え板係止部
２８、２９，３０    シール部材押え板支持部
３１、３２    排出溝
３３    ケース一体で設けられた部分溝
【図１】
2006168696.tif 000003
【図２】
2006168696.tif 000004
【図３】
2006168696.tif 000005
【図４】
2006168696.tif 000006